(57)【要約】【課題】  狭隘な現場にも設置できる粉塵回収体及び集塵装置を提供する。【解決手段】  本発明の粉塵回収体は、送風機の排気側に取り付けて使用する粉塵回収体であって、入口及び出口を備えた中空の本体と、当該本体を通過する粉塵を捕集する集塵体を備えたものである。本体は、入口側から出口側に向けて次第に広がる先広がりの筒状とした。集塵体は本体から取外し可能とした。集塵体はフィルタと変形防止材を備えたものとした。本発明の集塵装置は、送風機の排気側に前記粉塵回収体が設けられたものであある。送風機と粉塵回収体の双方又はいずれか一方に、送風機と粉塵回収体を水平又は略水平に支持する脚を設けることもできる。送風機と粉塵回収体を台座上に配置し、それら送風機と粉塵回収体の双方又はいずれか一方を台座に設けられた保持体で保持できるようにしてもよい。【選択図】図１
2018020296.tif 000002
【特許請求の範囲】
【請求項１】
送風機の排気側に取り付けて使用する粉塵回収体であって、
入口及び出口を備えた中空の本体と、当該本体を通過する粉塵を捕集する集塵体を備え、
前記集塵体は、本体内を通過する粉塵を捕集できるように前記本体に設けられ、
前記本体の入口側に、前記送風機に取り付け可能な装着部が設けられ、
前記本体の装着部を前記送風機の排気側に装着すると、当該送風機と本体の内部とが連通し、その連通状態で送風機が粉塵を吸引すると、当該送風機で吸引された粉塵が本体に設けられた集塵体で捕集される、
ことを特徴とする粉塵回収体。
【請求項２】
請求項１記載の粉塵回収体において、
本体は、入口側から出口側に向けて次第に広がる先広がりの筒状である、
ことを特徴とする粉塵回収体。
【請求項３】
請求項１又は請求項２記載の粉塵回収体において、
集塵体は本体から取外し可能である、
ことを特徴とする粉塵回収体。
【請求項４】
請求項１から請求項３のいずれか１項に記載の粉塵回収体において、
集塵体は、フィルタと当該フィルタの変形を防止する変形防止材を備えている、
ことを特徴とする粉塵回収体。
【請求項５】
請求項４に記載の粉塵回収体において、
フィルタは変形防止材で保護された状態で洗浄可能である、
ことを特徴とする粉塵回収体。
【請求項６】
請求項１から請求項５のいずれか１項に記載の粉塵回収体において、
集塵体の内側と外側の双方又はいずれか一方に、当該集塵体を支持する支持材が設けられた、
ことを特徴とする粉塵回収体。
【請求項７】
集塵体で粉塵を捕捉して回収する集塵装置において、
送風機の排気側に請求項１から請求項６のいずれか１項に記載の粉塵回収体が設けられた、
ことを特徴とする集塵装置。
【請求項８】
請求項７記載の集塵装置において、
送風機と粉塵回収体の双方又はいずれか一方に、送風機と粉塵回収体を水平又は略水平に支持する脚が設けられた、
ことを特徴とする集塵装置。
【請求項９】
請求項７又は請求項８記載の集塵装置において、
送風機と粉塵回収体が台座上に配置され、
前記台座は、前記送風機と粉塵回収体の双方又はいずれか一方を保持可能な保持体を備えた、
ことを特徴とする集塵装置。
【発明の詳細な説明】
【技術分野】
【０００１】
本発明は、例えば、アーク溶接時に生じる排気中の溶接ヒュームや隧道等の土木工事現場で発生する塵芥、塗装工事で発生して気化した溶剤等（以下、これらをまとめて「粉塵」という）の捕集に用いる粉塵回収体と、その粉塵回収体を備えた集塵装置に関するものである。
【背景技術】
【０００２】
小さな土埃や金属の粒などの無機物又は鉱物性の粉塵が発生する環境で仕事をしている労働者が患う病気として、「じん肺」が知られている。じん肺は、無機物や鉱物性の粉塵を多量に吸い込むことによって、肺の組織が線維化し、硬くなって弾力性を失う病気である。じん肺は、息切れ、咳、痰のほか、気管支炎や肺がん、気胸といった合併症も引き起こすことがあることから、厚生労働省では、対策を講じることを推進している（「厚生労働省ホームページ 第８次粉塵障害防止総合対策について」参照）。
【０００３】
じん肺の一因となる物質として溶接ヒュームがある。溶接ヒュームは、溶接（アーク溶接）作業時に生じるミクロン単位の金属粉塵であり、肺の奥深くの肺胞にまで入り込んで沈降することによって、咳、痰、喘鳴、息切れといった呼吸器の異常を引き起こす。従来、このような溶接ヒュームの吸引による人体への悪影響を防止するための装置として、溶接ヒュームを液体で捕集する溶接ヒューム湿式捕集装置（特許文献１）や、溶接排煙集塵装置（特許文献２）などが提案されている。また、本件出願人も微細気泡によって粉塵を捕捉する粉塵捕集装置（特許文献３）等を提案している。
【先行技術文献】
【特許文献】
【０００４】
【特許文献１】特開平６−２９２９７０号公報
【特許文献２】特開平７−０４００５５号公報
【特許文献３】特開２０１４−２３７１０８号公報
【発明の概要】
【発明が解決しようとする課題】
【０００５】
前記特許文献１記載の「溶接ヒューム湿式捕集装置」は、処理液を揺動泡状とするための装置が必要であり、構造が複雑であるという難点がある。構造が複雑であると、製造やメンテナンスに費用も手間もかかる。また、構造の複雑化によって装置の小型化が困難になり、現場の広さによっては設置できないという難点もある。
【０００６】
前記特許文献２記載の「溶接排煙集塵装置」は、吸気室内に取り込んだ排気をそのまま液体に接触させるため、排気と液体との接触面積が小さく、捕集効率に改善の余地がある。
【０００７】
前記特許文献３記載の粉塵捕集装置は、効果的に粉塵を回収することができるが、鋼管内のような狭隘な現場には設置しにくいという難点がある。
【０００８】
本発明の解決課題は、構造が簡潔であり、製造やメンテナンスが容易であり、小型化を図ることができ、狭隘な現場にも設置することができ、維持コストの低減に資する集塵装置を提供することにある。
【課題を解決するための手段】
【０００９】
［粉塵回収体］
本発明の粉塵回収体は、送風機の排気側に取り付けて使用するものであって、入口及び出口を備えた中空の本体と、当該本体を通過する粉塵を捕集する集塵体を備え、その集塵体は、本体内を通過する粉塵を捕集できるように当該本体に設けられ、前記本体の入口側に、前記送風機の排気側に取り付け可能な装着部が設けられ、前記本体の装着部を前記送風機の排気側に装着すると、当該送風機と本体の内部とが連通し、その連通状態で送風機が粉塵を吸引すると、当該送風機で吸引された粉塵が本体に設けられた集塵体で捕集されるようにしたものである。
【００１０】
前記本体は、入口側から出口側に向けて次第に広がる先広がりの筒状とすることができる。前記集塵体は本体から取外し可能とすることができる。前記集塵体は、フィルタと当該フィルタの変形を防止する変形防止材を備えたものとすることができる。前記フィルタは、変形防止材で保護された状態で洗浄できるようにすることができる。前記集塵体の内側と外側の双方又はいずれか一方に、集塵体を支持する支持材を設けることもできる。
【００１１】
［集塵装置］
本発明の集塵装置は、集塵体で粉塵を捕捉して回収するものであって、送風機の排気側に前記いずれかの粉塵回収体が設けられたものである。送風機と粉塵回収体の双方又はいずれか一方に、送風機と粉塵回収体を水平又は略水平に支持する脚を設けることもできる。送風機と粉塵回収体を台座上に配置し、それら送風機と粉塵回収体の双方又はいずれか一方を台座に設けられた保持体で保持できるようにしてもよい。
【発明の効果】
【００１２】
［粉塵回収体］
本発明の粉塵回収体は、その構成に応じて、例えば次のような効果を奏する。
（１）送風機の排気側に直接取り付けられるため、送風機に取り付けたときに大型化せず、狭隘な作業現場にも設置しやすい。
（２）入口側から出口側に向けて次第に広がる先広がりの筒状とした場合、排気側に粉塵回収体を取り付けても、送風機の本来の性能（換気能力）を損ないにくい。
（３）出口側を広くした場合、集塵体の取替えが容易である。
（４）集塵体をフィルタと変形防止材を備えたものとした場合、風力によるフィルタの変形やそれに伴う粉塵の漏れを防止することができる。
（５）フィルタを変形防止材で保護された状態のまま洗浄できるようにした場合、洗浄作業が楽である。また、構造上フィルタの揉み洗いができないため、揉み洗いによるフィルタの破損や変形等も防止することができる。
【００１３】
［集塵装置］
本発明の集塵装置は、その構成に応じて、例えば次のような効果を奏する。
（１）送風機に前記いずれかの粉塵回収体を設けてあるため、前記粉塵回収体と同様の効果を奏する。
（２）送風機と粉塵回収体の双方又はいずれか一方に脚を設けて、送風機や粉塵回収体を水平又は略水平に支持できるようにした場合、使用中に傾いたり倒れたりしにくいため、安定した集塵が可能である。
（３）台座に送風機や粉塵回収体を保持可能な保持体を備えた場合、送風機や粉塵回収体がより安定しやすい。
【図面の簡単な説明】
【００１４】
【図１】本発明の粉塵回収体及び集塵装置の一例を示す斜視図。
【図２】図１に示す粉塵回収体及び集塵装置の分解説明図。
【図３】図１に示す粉塵回収体及び集塵装置の説明図。
【図４】本発明の粉塵回収体及び集塵装置の他例を示す説明図。
【図５】本発明の粉塵回収体及び集塵装置の他例を示す斜視図。
【図６】本発明の集塵装置の使用例の説明図。
【発明を実施するための形態】
【００１５】
（実施形態１）
本発明の粉塵回収体３０及び集塵装置１０の一例を、図面を参照して説明する。一例として図１〜図３に示す集塵装置１０は、送風機２０と粉塵回収体３０を備えている。
【００１６】
送風機２０は、既存の送排気用のものであり、例えば、株式会社スイデンのポータブル型送排風機（品番：ＳＪＦ−３００ＲＳ）等を用いることができる。送風機２０はこれ以外のものであってもよいが、持ち運びできる程度にコンパクトなもの（ポータブルサイズのもの）を用いるのが好ましい。
【００１７】
前記粉塵回収体３０は、送風機２０の排気側に取り付けて使用するものであって、図２及び図３に示すように、入口１ａ及び出口１ｂを備えた中空の本体１と、当該本体１の内部に配置された集塵体２を備えている。この実施形態では、集塵体２の内側に内側支持材３が、外側に外側支持材４が設けられている。
【００１８】
前記本体１は、入口１ａ側から出口１ｂ側に向けて次第に内径が広がる先広がりの形状としてある。本体１をこのような形状とすることで、送風機２０の排気側に本発明の粉塵回収体３０を取り付けても、送風機２０のもつ本来の換気能力を維持することができる。
【００１９】
本体１の入口１ａ側には、送風機２０の排気側に被せる円筒状の装着部１ｃが設けられている。装着部１ｃには多数本の止め具（蝶ネジ）５がその周方向に間隔をあけて設けられ、装着部１ｃを送風機２０の排気側に被せた後にこれら止め具５を締め付けることによって、粉塵回収体３０を送風機２０に固定できるようにしてある。図示する装着部１ｃの構造は一例であり、送風機２０の排気側に取り付けられるものであれば、排気側に被せる構造以外の構造であってもよい。なお、止め具５は送風機１側に設けてもよい。
【００２０】
本体１の出口１ｂ側の端部には、集塵体２が傾いたり倒れたりするのを防止するための内側支持材３が設けられている。一例として図２に示す内側支持材３は本体１の出口１ｂの内径と略同じ面積の円形の金網であり、本体１の内周に溶接して固定してある。内側支持材３には、エキスパンドメタルやパンチングメタル等を用いることができる。図示する内側支持材３の形状は一例であり、集塵体２を内側から支持できる形状であれば、これ以外の形状であってもよい。例えば、本体１の内周面から内向きに突設するリングや、本体１の内周面から内向きに突設する一又は二以上の突片などであってもよい。内側支持材３をリングや突片とした場合、集塵体２の捕捉面のほとんどが露出する（空気が遮られない）ため、空気の流れがスムーズになり、粉塵の捕捉効率の向上が期待できる。なお、内側支持体３は必要に応じて設ければよく、集塵体２自体にこれに代わるものを設けて省略することもできる。
【００２１】
前記集塵体２は、本体１内に吸引された粉塵を捕集するものである。一例として図２に示す集塵体２は、円形のフィルタ２ａと、当該フィルタ２ａの両面に配置される変形防止材２ｂを備えている。
【００２２】
前記フィルタ２ａは粉塵を捕集する部材であり、既存の不織布などを用いることができる。フィルタ２ａには、洗浄して繰り返し使用可能なものを用いるのが好ましい。前記変形防止材２ｂは送風機２０による風力などによってフィルタ２ａが変形しないように保護するものである。この実施形態では、変形防止材２ｂとして内側支持材３と同様の金網を用いている。変形防止材２ｂには、エキスパンドメタルやパンチングメタル等を用いることもできる。フィルタ２ａを保護できる程度の強度を備えていれば、金属製に限らずプラスチック製やその他の材質製の網材（メッシュ材）を用いることもできる。フィルタ２ａとその両面側の変形防止材２ｂは縫い付けなどによって一体化してある。
【００２３】
前記外側支持材４は、集塵体２が送風機２０から送り込まれる風によって、集塵体２が外へ倒れたり吹き飛んだりしないようにするためのものである。一例として図２に示す外側支持材４は本体１の出口１ｂの内径と略同じ面積の円形の網材４ａと、当該網材４ａの外周縁から立設するリング状の周壁４ｂを備えている。この実施形態の外側支持材４は、周壁４ｂに取り付けた蝶番６によって本体１に取り付けられている。
【００２４】
周壁４ｂは、本体１の出口１ｂ側よりも若干大きめにしてあり、当該周壁４ｂを本体１の出口１ｂの外側に被せられるようにしてある。なお、内側支持材３と同様、外側支持材４にも、エキスパンドメタルやパンチングメタル等を用いることができる。また、図示する外側支持材４の形状は一例であり、集塵体２を内側から支持できる形状であれば、これ以外の形状であってもよい。例えば、内側支持材３と同様のリングや突片などであってもよい。なお、外側支持体４は必要に応じて設ければよく、集塵体２自体にこれに代わるものを設けて省略することもできる。
【００２５】
この実施形態では、送風機２０と粉塵回収体３０の双方に脚８が設けられ、両者が水平となるようにしてある。脚８は高さ調節可能なアジャスタ機能を備えたものとすることもできる。脚８は必要に応じて設ければよく、不要な場合には省略することもできる。なお、脚を備えた送風機２０を用いる場合には、当該脚を本件発明における脚８として使用することも、当該脚を取り外して別の脚８を設けることも、もともと装備された脚に他の部材を取り付けて脚８とすることもできる。
【００２６】
（実施形態２）
本発明の粉塵回収体３０及び集塵装置１０の他例を、図４を参照して説明する。この実施形態の粉塵回収体３０及び集塵装置１０の基本構造は実施形態１と同様である。異なるのは、集塵体２を直接本体１に着脱可能にして、内側支持材３と外側支持材４を省略したことである。ここでは共通する部分の説明を省略し、異なる部分について説明する。
【００２７】
この実施形態の集塵体２は、実施形態１と同様、円形のフィルタ２ａと、当該フィルタ２ａの両面に配置される変形防止材２ｂを備えており、それらが縫い付けなどによって一体化してある。図４に示すように、本体１及び集塵体２には連結部材９が設けられ、この連結部材９によって両者を連結できるようにしてある。連結部材９には、既存のものを用いることができる。なお、集塵体２は本体１の内側に設けることも、本体１の外側に設けることもできるが、いずれの場合も、本体１内に吸引された粉塵が本体１の出口１ｂ側から抜けないように、隙間なく取り付けるように留意する。
【００２８】
（実施形態３）
本発明の粉塵回収体３０及び集塵装置１０の他例を、図５を参照して説明する。この実施形態の粉塵回収体３０及び集塵装置１０の基本構造は実施形態１や実施形態２と同様である。異なるのは、送風機２０と粉塵回収体３０が台座７上に配置され、その台座７上の送風機２０が当該台座７に設けられた保持体７ｂによって保持されたことである。ここでは共通する部分の説明を省略し、異なる部分について説明する。
【００２９】
図５に示す台座７は、送風機２０及び集塵装置１０を載せる長方形状の載せ板７ａの上面側に、下向きＵ字状の保持体７ｂを備えている。この保持体７ｂは、送風機２０の円筒状の胴体部分の外周を保持できる程度の広さを備えている。台座７を設けることで、設置する場所が平坦でない場合でも設置しやすくなるというメリットがある。この実施形態では、台座７に送風機２０を保持するための保持体７ｂが設けられた場合を一例としているが、送風機２０を保持するための保持体７ｂに代えて或いはこれと共に、粉塵回収体３０を保持するための保持体７ｂを設けることもできる。なお、台座７は必要に応じて設ければよく、不要な場合は省略することができる。
【００３０】
（その他の実施形態）
前記実施形態では、本体１が出口１ｂ側に向けて先広がりの円筒状の場合を一例として説明しているが、本体１は出口１ｂ側に向けて先広がりの楕円筒状や角筒状であってもよい。場合によっては、本体１は入口１ａ側から出口１ｂ側まで太さが一様の（変わらない）円筒状や楕円筒状、角筒状などであってもよい。また、本体１は、装着部１ｃが細く、それ以外の部分が装着部１ｃよりも太いもの（装着部１ｃとそれ以外の部分の太さが異なるもの）とすることもできる。具体的には、装着部１ｃ用とそれ以外の部分用として、太さの異なる筒部材を用意し、後者の入口１ａ側に貫通孔を備えた平板を固定し、当該平板の貫通孔の周縁に前者の出口１ｂ側を固定するなどして本体１とすることができる。
【００３１】
前記実施形態では、本体１の入口１ａ側と出口１ｂ側の双方が同形状（相似形）の場合を一例としているが、入口１ａ側と出口１ｂ側を異なる形状とすることもできる。例えば、入口１ａ側が円形で出口１ｂ側が楕円形、入口１ａ側が円形で出口１ｂ側が矩形（例えば、四角形）などとすることもできる。この場合、出口１ｂ側に向けて次第に先広がりの両端開口の楕円筒や角筒の入口側に貫通孔を備えた平板を固定し、その貫通孔の周縁に円筒状の装着部１ｃを固定するなどして本体１とすることができる。
【００３２】
前記実施形態では、集塵体２を本体１の内側に一つ設ける場合を一例としているが、集塵体２は二以上設けることもできる。この場合、同じ構造の集塵体２を二以上設けることも、異なる構造の集塵体２を二以上設けることもできる。異なるものを配置する場合、一方の集塵体２のフィルタ２ａを、他方の集塵体２のフィルタ２ａよりも目の粗いものを用いることができる。集塵体２を二以上設ける場合、集塵体２は間隔をあけて又は間隔をあけずに設けることができる。
【００３３】
前記実施形態では、集塵体２を本体１の出口１ｂ側に設けた場合を一例としているが、集塵体２は本体１の中央部や中央部よりも入口１ａ側等、出口１ｂ側以外の場所に設けることもできる。場合によっては、集塵体２の出口１ｂの外側に設けて、本体１に連結するようにしてもよい。
【００３４】
前記実施形態では、変形防止材２ｂとして二枚の金網等を用いる場合を一例としているが、変形防止材２ｂは、一枚の金網等を折り曲げてフィルタ２ａの両面を保持できるようにしたものであってもよい。
【００３５】
（使用例：粉塵の捕集）
本発明の集塵装置１０の使用例を、図６を参照して説明する。ここでは、鋼管Ｙ内で溶接作業をする際に生じる、溶接ヒュームＸを捕集する場合を一例として説明する。
（１）鋼管Ｙ内に、本発明の集塵装置１０を配置する。
（２）集塵装置１０の送風機２０の電源を入れ、溶接作業を行う。
（３）溶接作業によって発生した溶接ヒュームＸは、送風機２０の吸引力によって送風機２０内へ引き込まれ送風機２０を通過し、空気とともに粉塵回収体３０に送られる。
（４）粉塵回収体３０に到達した溶接ヒュームＸは出口側へ送られ、出口１ｂ側に配置された集塵体２で捕集される。このとき、空気は集塵体２を通過して粉塵回収体３０の外に排出される。
【００３６】
（使用例：フィルタの洗浄）
溶接ヒュームＸを捕集した集塵体２は、本体１から取り外して、変形防止材２ｂで挟まれたフィルタ２ａをそのまま（変形防止材２ｂに挟まれたまま）洗浄液につけることで、変形することなく洗浄することができる。洗浄後には集塵体２を本体１にセットし、粉塵のないところで送風機２０をＯＮにすることで集塵体２を乾燥させることができる。
【産業上の利用可能性】
【００３７】
本発明の粉塵回収体３０及び集塵装置１０は、各種作業現場で発生する粉塵の捕集に用いることができるが、特に、鋼管Ｙ内のような狭隘な作業現場での粉塵の捕集に好適に用いることができる。
【符号の説明】
【００３８】
１      本体
１ａ    入口
１ｂ    出口
１ｃ    装着部
２      集塵体
２ａ    フィルタ
２ｂ    変形防止材
３      内側支持材
４      外側支持材
４ａ    網材
４ｂ    周壁
５      止め具（蝶ネジ）
６      蝶番
７      台座
７ａ    載せ板
７ｂ    保持体
８      脚
９      連結部材
１０    集塵装置
２０    送風機
３０    粉塵回収体
Ｘ      溶接ヒューム
Ｙ      鋼管
【図１】
2018020296.tif 000003
【図２】
2018020296.tif 000004
【図３】
2018020296.tif 000005
【図４】
2018020296.tif 000006
【図５】
2018020296.tif 000007
【図６】
2018020296.tif 000008
【手続補正書】
【提出日】平成28年11月18日(2016.11.18)
【手続補正１】
【補正対象書類名】明細書
【補正対象項目名】全文
【補正方法】変更
【補正の内容】
【発明の詳細な説明】
【技術分野】
【０００１】
本発明は、例えば、アーク溶接時に生じる排気中の溶接ヒュームや隧道等の土木工事現場で発生する塵芥、塗装工事で発生して気化した溶剤等（以下、これらをまとめて「粉塵」という）の捕集に用いる粉塵回収体と、その粉塵回収体を備えた集塵装置に関するものである。
【背景技術】
【０００２】
小さな土埃や金属の粒などの無機物又は鉱物性の粉塵が発生する環境で仕事をしている労働者が患う病気として、「じん肺」が知られている。じん肺は、無機物や鉱物性の粉塵を多量に吸い込むことによって、肺の組織が線維化し、硬くなって弾力性を失う病気である。じん肺は、息切れ、咳、痰のほか、気管支炎や肺がん、気胸といった合併症も引き起こすことがあることから、厚生労働省では、対策を講じることを推進している（「厚生労働省ホームページ 第８次粉塵障害防止総合対策について」参照）。
【０００３】
じん肺の一因となる物質として溶接ヒュームがある。溶接ヒュームは、溶接（アーク溶接）作業時に生じるミクロン単位の金属粉塵であり、肺の奥深くの肺胞にまで入り込んで沈降することによって、咳、痰、喘鳴、息切れといった呼吸器の異常を引き起こす。従来、このような溶接ヒュームの吸引による人体への悪影響を防止するための装置として、溶接ヒュームを液体で捕集する溶接ヒューム湿式捕集装置（特許文献１）や、溶接排煙集塵装置（特許文献２）などが提案されている。また、本件出願人も微細気泡によって粉塵を捕捉する粉塵捕集装置（特許文献３）等を提案している。
【先行技術文献】
【特許文献】
【０００４】
【特許文献１】特開平６−２９２９７０号公報
【特許文献２】特開平７−０４００５５号公報
【特許文献３】特開２０１４−２３７１０８号公報
【発明の概要】
【発明が解決しようとする課題】
【０００５】
前記特許文献１記載の「溶接ヒューム湿式捕集装置」は、処理液を揺動泡状とするための装置が必要であり、構造が複雑であるという難点がある。構造が複雑であると、製造やメンテナンスに費用も手間もかかる。また、構造の複雑化によって装置の小型化が困難になり、現場の広さによっては設置できないという難点もある。
【０００６】
前記特許文献２記載の「溶接排煙集塵装置」は、吸気室内に取り込んだ排気をそのまま液体に接触させるため、排気と液体との接触面積が小さく、捕集効率に改善の余地がある。
【０００７】
前記特許文献３記載の粉塵捕集装置は、効果的に粉塵を回収することができるが、鋼管内のような狭隘な現場には設置しにくいという難点がある。
【０００８】
本発明の解決課題は、構造が簡潔であり、製造やメンテナンスが容易であり、小型化を図ることができ、狭隘な現場にも設置することができ、維持コストの低減に資する集塵装置を提供することにある。
【課題を解決するための手段】
【０００９】
［粉塵回収体］
本発明の粉塵回収体は、取っ手を備え、当該取っ手を持って持ち運び可能であり、鋼管内に持ち込み可能なサイズであり、外形が円筒状のポータブル型送風機の排気側に取り付けて使用する粉塵回収体であって、粉塵回収体は、入口及び出口を備えた中空の本体と、前記送風機の送風により当該本体内を通過する粉塵を捕集する集塵体を備え、前記本体は、その入口側が筒状であり、出口側が入口側よりも大きな口径の先広がりの筒状であり、前記入口側に円筒状の装着部が設けられ、前記装着部は前記本体の内部空間が前記送風機の筒状の排気側と連通するように当該排出側に嵌合可能であり、嵌合した排出側に止め具により取り付けることができ、前記集塵体は、前記送風機で吸引された粉塵を捕集できるフィルタが、その排気流入側と排気流出側から多数の通孔を備えた変形防止材で挟まれて当該変形防止材に取り付けられたものであり、前記集塵体が本体の出口側に脱着可能なものである。
【００１０】
前記集塵体の内側を支持する内側支持体と集塵体の外側を支持する外側支持体の双方又はいずれか一方を備え、前記内側支持材と外側支持材は共に通孔を備えたものとすることもできる。本体は、入口側から出口側まで連続して次第に先広がりの筒状とすることもできる。外側支持材は本体の出口側に開閉可能に取り付けることもできる。フィルタは変形防止材で保護された状態で洗浄可能とすることもできる。
【００１１】
［集塵装置］
本発明の集塵装置は、集塵体で粉塵を捕捉して回収するものであって、送風機の排気側に前記いずれかの粉塵回収体が設けられたものである。送風機は、取っ手を備え、当該取っ手を持って持ち運び可能であり、鋼管内に持ち込み可能なサイズであり、外形が円筒状のポータブル型送風機であり、前記集塵回収体の装着部が前記送風機の排出側に嵌合して止め具により取り付けられて、集塵回収体の筒状の本体の内部空間が前記送風機の筒状の排気側と連通したものである。送風機と粉塵回収体の双方又はいずれか一方に、送風機と粉塵回収体を水平又は略水平に支持する脚を設けることもできる。送風機と粉塵回収体を台座上に配置し、それら送風機と粉塵回収体の双方又はいずれか一方を台座に設けられた保持体で保持できるようにしてもよい。
【発明の効果】
【００１２】
［粉塵回収体］
本発明の粉塵回収体は、その構成に応じて、例えば次のような効果を奏する。
（１）送風機の排気側に直接取り付けられるため、送風機に取り付けたときに大型化せず、狭隘な作業現場にも設置しやすい。
（２）入口側から出口側に向けて次第に広がる先広がりの筒状とした場合、排気側に粉塵回収体を取り付けても、送風機の本来の性能（換気能力）を損ないにくい。
（３）出口側を広くした場合、集塵体の取替えが容易である。
（４）集塵体をフィルタと変形防止材を備えたものとした場合、風力によるフィルタの変形やそれに伴う粉塵の漏れを防止することができる。
（５）フィルタを変形防止材で保護された状態のまま洗浄できるようにした場合、洗浄作業が楽である。また、構造上フィルタの揉み洗いができないため、揉み洗いによるフィルタの破損や変形等も防止することができる。
【００１３】
［集塵装置］
本発明の集塵装置は、その構成に応じて、例えば次のような効果を奏する。
（１）送風機に前記いずれかの粉塵回収体を設けてあるため、前記粉塵回収体と同様の効果を奏する。
（２）送風機と粉塵回収体の双方又はいずれか一方に脚を設けて、送風機や粉塵回収体を水平又は略水平に支持できるようにした場合、使用中に傾いたり倒れたりしにくいため、安定した集塵が可能である。
（３）台座に送風機や粉塵回収体を保持可能な保持体を備えた場合、送風機や粉塵回収体がより安定しやすい。
【図面の簡単な説明】
【００１４】
【図１】本発明の粉塵回収体及び集塵装置の一例を示す斜視図。
【図２】図１に示す粉塵回収体及び集塵装置の分解説明図。
【図３】図１に示す粉塵回収体及び集塵装置の説明図。
【図４】本発明の粉塵回収体及び集塵装置の他例を示す説明図。
【図５】本発明の粉塵回収体及び集塵装置の他例を示す斜視図。
【図６】本発明の集塵装置の使用例の説明図。
【発明を実施するための形態】
【００１５】
（実施形態１）
本発明の粉塵回収体３０及び集塵装置１０の一例を、図面を参照して説明する。一例として図１〜図３に示す集塵装置１０は、送風機２０と粉塵回収体３０を備えている。
【００１６】
送風機２０は、既存の送排気用のものであり、例えば、株式会社スイデンのポータブル型送排風機（品番：ＳＪＦ−３００ＲＳ）等を用いることができる。送風機２０はこれ以外のものであってもよいが、持ち運びできる程度にコンパクトなもの（ポータブルサイズのもの）を用いるのが好ましい。
【００１７】
前記粉塵回収体３０は、送風機２０の排気側に取り付けて使用するものであって、図２及び図３に示すように、入口１ａ及び出口１ｂを備えた中空の本体１と、当該本体１の内部に配置された集塵体２を備えている。この実施形態では、集塵体２の内側に内側支持材３が、外側に外側支持材４が設けられている。
【００１８】
前記本体１は、入口１ａ側から出口１ｂ側に向けて次第に内径が広がる先広がりの形状としてある。本体１をこのような形状とすることで、送風機２０の排気側に本発明の粉塵回収体３０を取り付けても、送風機２０のもつ本来の換気能力を維持することができる。
【００１９】
本体１の入口１ａ側には、送風機２０の排気側に被せる円筒状の装着部１ｃが設けられている。装着部１ｃには多数本の止め具（蝶ネジ）５がその周方向に間隔をあけて設けられ、装着部１ｃを送風機２０の排気側に被せた後にこれら止め具５を締め付けることによって、粉塵回収体３０を送風機２０に固定できるようにしてある。図示する装着部１ｃの構造は一例であり、送風機２０の排気側に取り付けられるものであれば、排気側に被せる構造以外の構造であってもよい。なお、止め具５は送風機１側に設けてもよい。
【００２０】
本体１の出口１ｂ側の端部には、集塵体２が傾いたり倒れたりするのを防止するための内側支持材３が設けられている。一例として図２に示す内側支持材３は本体１の出口１ｂの内径と略同じ面積の円形の金網であり、本体１の内周に溶接して固定してある。内側支持材３には、エキスパンドメタルやパンチングメタル等を用いることができる。図示する内側支持材３の形状は一例であり、集塵体２を内側から支持できる形状であれば、これ以外の形状であってもよい。例えば、本体１の内周面から内向きに突設するリングや、本体１の内周面から内向きに突設する一又は二以上の突片などであってもよい。内側支持材３をリングや突片とした場合、集塵体２の捕捉面のほとんどが露出する（空気が遮られない）ため、空気の流れがスムーズになり、粉塵の捕捉効率の向上が期待できる。なお、内側支持体３は必要に応じて設ければよく、集塵体２自体にこれに代わるものを設けて省略することもできる。
【００２１】
前記集塵体２は、本体１内に吸引された粉塵を捕集するものである。一例として図２に示す集塵体２は、円形のフィルタ２ａと、当該フィルタ２ａの両面に配置される変形防止材２ｂを備えている。
【００２２】
前記フィルタ２ａは粉塵を捕集する部材であり、既存の不織布などを用いることができる。フィルタ２ａには、洗浄して繰り返し使用可能なものを用いるのが好ましい。前記変形防止材２ｂは送風機２０による風力などによってフィルタ２ａが変形しないように保護するものである。この実施形態では、変形防止材２ｂとして内側支持材３と同様の金網を用いている。変形防止材２ｂには、エキスパンドメタルやパンチングメタル等を用いることもできる。フィルタ２ａを保護できる程度の強度を備えていれば、金属製に限らずプラスチック製やその他の材質製の網材（メッシュ材）を用いることもできる。フィルタ２ａとその両面側の変形防止材２ｂは縫い付けなどによって一体化してある。
【００２３】
前記外側支持材４は、集塵体２が送風機２０から送り込まれる風によって、集塵体２が外へ倒れたり吹き飛んだりしないようにするためのものである。一例として図２に示す外側支持材４は本体１の出口１ｂの内径と略同じ面積の円形の網材４ａと、当該網材４ａの外周縁から立設するリング状の周壁４ｂを備えている。この実施形態の外側支持材４は、周壁４ｂに取り付けた蝶番６によって本体１に取り付けられている。
【００２４】
周壁４ｂは、本体１の出口１ｂ側よりも若干大きめにしてあり、当該周壁４ｂを本体１の出口１ｂの外側に被せられるようにしてある。なお、内側支持材３と同様、外側支持材４にも、エキスパンドメタルやパンチングメタル等を用いることができる。また、図示する外側支持材４の形状は一例であり、集塵体２を内側から支持できる形状であれば、これ以外の形状であってもよい。例えば、内側支持材３と同様のリングや突片などであってもよい。なお、外側支持体４は必要に応じて設ければよく、集塵体２自体にこれに代わるものを設けて省略することもできる。
【００２５】
この実施形態では、送風機２０と粉塵回収体３０の双方に脚８が設けられ、両者が水平となるようにしてある。脚８は高さ調節可能なアジャスタ機能を備えたものとすることもできる。脚８は必要に応じて設ければよく、不要な場合には省略することもできる。なお、脚を備えた送風機２０を用いる場合には、当該脚を本件発明における脚８として使用することも、当該脚を取り外して別の脚８を設けることも、もともと装備された脚に他の部材を取り付けて脚８とすることもできる。
【００２６】
（実施形態２）
本発明の粉塵回収体３０及び集塵装置１０の他例を、図４を参照して説明する。この実施形態の粉塵回収体３０及び集塵装置１０の基本構造は実施形態１と同様である。異なるのは、集塵体２を直接本体１に着脱可能にして、内側支持材３と外側支持材４を省略したことである。ここでは共通する部分の説明を省略し、異なる部分について説明する。
【００２７】
この実施形態の集塵体２は、実施形態１と同様、円形のフィルタ２ａと、当該フィルタ２ａの両面に配置される変形防止材２ｂを備えており、それらが縫い付けなどによって一体化してある。図４に示すように、本体１及び集塵体２には連結部材９が設けられ、この連結部材９によって両者を連結できるようにしてある。連結部材９には、既存のものを用いることができる。なお、集塵体２は本体１の内側に設けることも、本体１の外側に設けることもできるが、いずれの場合も、本体１内に吸引された粉塵が本体１の出口１ｂ側から抜けないように、隙間なく取り付けるように留意する。
【００２８】
（実施形態３）
本発明の粉塵回収体３０及び集塵装置１０の他例を、図５を参照して説明する。この実施形態の粉塵回収体３０及び集塵装置１０の基本構造は実施形態１や実施形態２と同様である。異なるのは、送風機２０と粉塵回収体３０が台座７上に配置され、その台座７上の送風機２０が当該台座７に設けられた保持体７ｂによって保持されたことである。ここでは共通する部分の説明を省略し、異なる部分について説明する。
【００２９】
図５に示す台座７は、送風機２０及び集塵装置１０を載せる長方形状の載せ板７ａの上面側に、下向きＵ字状の保持体７ｂを備えている。この保持体７ｂは、送風機２０の円筒状の胴体部分の外周を保持できる程度の広さを備えている。台座７を設けることで、設置する場所が平坦でない場合でも設置しやすくなるというメリットがある。この実施形態では、台座７に送風機２０を保持するための保持体７ｂが設けられた場合を一例としているが、送風機２０を保持するための保持体７ｂに代えて或いはこれと共に、粉塵回収体３０を保持するための保持体７ｂを設けることもできる。なお、台座７は必要に応じて設ければよく、不要な場合は省略することができる。
【００３０】
（その他の実施形態）
前記実施形態では、本体１が出口１ｂ側に向けて先広がりの円筒状の場合を一例として説明しているが、本体１は出口１ｂ側に向けて先広がりの楕円筒状や角筒状であってもよい。場合によっては、本体１は入口１ａ側から出口１ｂ側まで太さが一様の（変わらない）円筒状や楕円筒状、角筒状などであってもよい。また、本体１は、装着部１ｃが細く、それ以外の部分が装着部１ｃよりも太いもの（装着部１ｃとそれ以外の部分の太さが異なるもの）とすることもできる。具体的には、装着部１ｃ用とそれ以外の部分用として、太さの異なる筒部材を用意し、後者の入口１ａ側に貫通孔を備えた平板を固定し、当該平板の貫通孔の周縁に前者の出口１ｂ側を固定するなどして本体１とすることができる。
【００３１】
前記実施形態では、本体１の入口１ａ側と出口１ｂ側の双方が同形状（相似形）の場合を一例としているが、入口１ａ側と出口１ｂ側を異なる形状とすることもできる。例えば、入口１ａ側が円形で出口１ｂ側が楕円形、入口１ａ側が円形で出口１ｂ側が矩形（例えば、四角形）などとすることもできる。この場合、出口１ｂ側に向けて次第に先広がりの両端開口の楕円筒や角筒の入口側に貫通孔を備えた平板を固定し、その貫通孔の周縁に円筒状の装着部１ｃを固定するなどして本体１とすることができる。
【００３２】
前記実施形態では、集塵体２を本体１の内側に一つ設ける場合を一例としているが、集塵体２は二以上設けることもできる。この場合、同じ構造の集塵体２を二以上設けることも、異なる構造の集塵体２を二以上設けることもできる。異なるものを配置する場合、一方の集塵体２のフィルタ２ａを、他方の集塵体２のフィルタ２ａよりも目の粗いものを用いることができる。集塵体２を二以上設ける場合、集塵体２は間隔をあけて又は間隔をあけずに設けることができる。
【００３３】
前記実施形態では、集塵体２を本体１の出口１ｂ側に設けた場合を一例としているが、集塵体２は本体１の中央部や中央部よりも入口１ａ側等、出口１ｂ側以外の場所に設けることもできる。場合によっては、集塵体２の出口１ｂの外側に設けて、本体１に連結するようにしてもよい。
【００３４】
前記実施形態では、変形防止材２ｂとして二枚の金網等を用いる場合を一例としているが、変形防止材２ｂは、一枚の金網等を折り曲げてフィルタ２ａの両面を保持できるようにしたものであってもよい。
【００３５】
（使用例：粉塵の捕集）
本発明の集塵装置１０の使用例を、図６を参照して説明する。ここでは、鋼管Ｙ内で溶接作業をする際に生じる、溶接ヒュームＸを捕集する場合を一例として説明する。
（１）鋼管Ｙ内に、本発明の集塵装置１０を配置する。
（２）集塵装置１０の送風機２０の電源を入れ、溶接作業を行う。
（３）溶接作業によって発生した溶接ヒュームＸは、送風機２０の吸引力によって送風機２０内へ引き込まれ送風機２０を通過し、空気とともに粉塵回収体３０に送られる。
（４）粉塵回収体３０に到達した溶接ヒュームＸは出口側へ送られ、出口１ｂ側に配置された集塵体２で捕集される。このとき、空気は集塵体２を通過して粉塵回収体３０の外に排出される。
【００３６】
（使用例：フィルタの洗浄）
溶接ヒュームＸを捕集した集塵体２は、本体１から取り外して、変形防止材２ｂで挟まれたフィルタ２ａをそのまま（変形防止材２ｂに挟まれたまま）洗浄液につけることで、変形することなく洗浄することができる。洗浄後には集塵体２を本体１にセットし、粉塵のないところで送風機２０をＯＮにすることで集塵体２を乾燥させることができる。
【産業上の利用可能性】
【００３７】
本発明の粉塵回収体３０及び集塵装置１０は、各種作業現場で発生する粉塵の捕集に用いることができるが、特に、鋼管Ｙ内のような狭隘な作業現場での粉塵の捕集に好適に用いることができる。
【符号の説明】
【００３８】
１      本体
１ａ    入口
１ｂ    出口
１ｃ    装着部
２      集塵体
２ａ    フィルタ
２ｂ    変形防止材
３      内側支持材
４      外側支持材
４ａ    網材
４ｂ    周壁
５      止め具（蝶ネジ）
６      蝶番
７      台座
７ａ    載せ板
７ｂ    保持体
８      脚
９      連結部材
１０    集塵装置
２０    送風機
３０    粉塵回収体
Ｘ      溶接ヒューム
Ｙ      鋼管
【手続補正２】
【補正対象書類名】特許請求の範囲
【補正対象項目名】全文
【補正方法】変更
【補正の内容】
【特許請求の範囲】
【請求項１】
取っ手を備え、当該取っ手を持って持ち運び可能であり、鋼管内に持ち込み可能なサイズであり、外形が円筒状のポータブル型送風機の排気側に取り付けて使用する粉塵回収体であって、
粉塵回収体は、入口及び出口を備えた中空の本体と、前記送風機の送風により当該本体内を通過する粉塵を捕集する集塵体を備え、
前記本体は、その入口側が筒状であり、出口側が入口側よりも大きな口径の先広がりの筒状であり、
前記入口側に円筒状の装着部が設けられ、
前記装着部は前記本体の内部空間が前記送風機の筒状の排気側と連通するように当該排出側に嵌合可能であり、嵌合した排出側に止め具により取り付けることができ、
前記集塵体は、前記送風機で吸引された粉塵を捕集できるフィルタが、その排気流入側と排気流出側から多数の通孔を備えた変形防止材で挟まれて当該変形防止材に取り付けられたものであり、
前記集塵体が本体の出口側に脱着可能である、
ことを特徴とする粉塵回収体。
【請求項２】
請求項１記載の粉塵回収体において、
集塵体の内側を支持する内側支持体と集塵体の外側を支持する外側支持体の双方又はいずれか一方を備え、
前記内側支持材と外側支持材は共に通孔を備えた、
ことを特徴とする粉塵回収体。
【請求項３】
請求項１又は請求項２記載の粉塵回収体において、
本体が入口側から出口側まで連続して次第に先広がりの筒状である、
ことを特徴とする粉塵回収体。
【請求項４】
請求項１から請求項３のいずれか１項に記載の粉塵回収体において、
外側支持材が本体の出口側に開閉可能に取り付けられている、
ことを特徴とする粉塵回収体。
【請求項５】
請求項１から請求項４のいずれか１項に記載の粉塵回収体において、
フィルタは変形防止材で保護された状態で洗浄可能である、
ことを特徴とする粉塵回収体。
【請求項６】
集塵体で粉塵を捕捉して回収する集塵装置において、
送風機の排気側に請求項１から請求項５のいずれか１項に記載の粉塵回収体が設けられ、
前記送風機は、取っ手を備え、当該取っ手を持って持ち運び可能であり、鋼管内に持ち込み可能なサイズであり、外形が円筒状のポータブル型送風機であり、
前記集塵回収体の装着部が前記送風機の排出側に嵌合して止め具により取り付けられて、集塵回収体の筒状の本体の内部空間が前記送風機の筒状の排気側と連通している、
ことを特徴とする集塵装置。
【請求項７】
請求項６記載の集塵装置において、
送風機と粉塵回収体の双方又はいずれか一方に、送風機と粉塵回収体を水平又は略水平に支持する脚が設けられた、
ことを特徴とする集塵装置。
【請求項８】
請求項６又は請求項７記載の集塵装置において、
送風機と粉塵回収体が台座上に配置され、
前記台座は、前記送風機と粉塵回収体の双方又はいずれか一方を保持可能な保持体を備えた、
ことを特徴とする集塵装置。
【手続補正書】
【提出日】平成29年3月14日(2017.3.14)
【手続補正１】
【補正対象書類名】明細書
【補正対象項目名】全文
【補正方法】変更
【補正の内容】
【発明の詳細な説明】
【技術分野】
【０００１】
本発明は、例えば、アーク溶接時に生じる排気中の溶接ヒュームや隧道等の土木工事現場で発生する塵芥、塗装工事で発生して気化した溶剤等（以下、これらをまとめて「粉塵」という）の捕集に用いる粉塵回収体と、その粉塵回収体を備えた集塵装置に関するものである。
【背景技術】
【０００２】
小さな土埃や金属の粒などの無機物又は鉱物性の粉塵が発生する環境で仕事をしている労働者が患う病気として、「じん肺」が知られている。じん肺は、無機物や鉱物性の粉塵を多量に吸い込むことによって、肺の組織が線維化し、硬くなって弾力性を失う病気である。じん肺は、息切れ、咳、痰のほか、気管支炎や肺がん、気胸といった合併症も引き起こすことがあることから、厚生労働省では、対策を講じることを推進している（「厚生労働省ホームページ 第８次粉塵障害防止総合対策について」参照）。
【０００３】
じん肺の一因となる物質として溶接ヒュームがある。溶接ヒュームは、溶接（アーク溶接）作業時に生じるミクロン単位の金属粉塵であり、肺の奥深くの肺胞にまで入り込んで沈降することによって、咳、痰、喘鳴、息切れといった呼吸器の異常を引き起こす。従来、このような溶接ヒュームの吸引による人体への悪影響を防止するための装置として、溶接ヒュームを液体で捕集する溶接ヒューム湿式捕集装置（特許文献１）や、溶接排煙集塵装置（特許文献２）などが提案されている。また、本件出願人も微細気泡によって粉塵を捕捉する粉塵捕集装置（特許文献３）等を提案している。
【先行技術文献】
【特許文献】
【０００４】
【特許文献１】特開平６−２９２９７０号公報
【特許文献２】特開平７−０４００５５号公報
【特許文献３】特開２０１４−２３７１０８号公報
【発明の概要】
【発明が解決しようとする課題】
【０００５】
前記特許文献１記載の「溶接ヒューム湿式捕集装置」は、処理液を揺動泡状とするための装置が必要であり、構造が複雑であるという難点がある。構造が複雑であると、製造やメンテナンスに費用も手間もかかる。また、構造の複雑化によって装置の小型化が困難になり、現場の広さによっては設置できないという難点もある。
【０００６】
前記特許文献２記載の「溶接排煙集塵装置」は、吸気室内に取り込んだ排気をそのまま液体に接触させるため、排気と液体との接触面積が小さく、捕集効率に改善の余地がある。
【０００７】
前記特許文献３記載の粉塵捕集装置は、効果的に粉塵を回収することができるが、鋼管内のような狭隘な現場には設置しにくいという難点がある。
【０００８】
本発明の解決課題は、構造が簡潔であり、製造やメンテナンスが容易であり、小型化を図ることができ、狭隘な現場にも設置することができ、維持コストの低減に資する集塵装置を提供することにある。
【課題を解決するための手段】
【０００９】
［粉塵回収体］
本発明の粉塵回収体は、ポータブル型送風機の排気側に取り付けて使用する粉塵回収体であって、前記ポータブル型送風機は、外形が円筒状の胴体と、当該胴体に設けられた取っ手を備え、前記取っ手を持って持ち運び可能であり、鋼管内に持ち込み可能なサイズであり、前記粉塵回収体は、入口及び出口を備えた中空の本体と、前記送風機の送風により当該本体内を通過する粉塵を捕集する集塵体を備え、前記本体は、その入口側が筒状であり、入口側から出口側に向けて内径が次第に広がる先広がりの筒状で出口側の口径が入口側の口径よりも大きく、前記入口側に、前記ポータブル型送風機の胴体の外側に被せる円筒状の装着部が設けられ、前記装着部は前記本体の内部空間が前記送風機の円筒状の胴体の排気側と連通するように胴体の排出側の外側に嵌合可能であり、嵌合した排出側に止め具により取り付けることができ、前記ポータブル型送風機の胴体の排出側に装着された粉塵回収体は、当該ポータブル型送風機の胴体の排出側の端部よりも外側に突出し、当該ポータブル型送風機の胴体内を通過した粉塵を当該ポータブル型送風機の胴体外に位置する集塵体で捕捉可能であり、前記集塵体は、前記送風機で吸引された粉塵を捕集できるフィルタが、その排気流入側と排気流出側から多数の通孔を備えた変形防止材で挟まれて当該変形防止材に取り付けられたものであり、前記集塵体が本体の出口側に脱着可能なものである。
【００１０】
前記集塵体の内側を支持する内側支持材と集塵体の外側を支持する外側支持材の双方又はいずれか一方を備え、前記内側支持材と外側支持材は共に通孔を備えたものとすることもできる。本体は、入口側から出口側まで連続して次第に先広がりの筒状とすることもできる。外側支持材は本体の出口側に開閉可能に取り付けることもできる。フィルタは変形防止材で保護された状態で洗浄可能とすることもできる。
【００１１】
［集塵装置］
本発明の集塵装置は、集塵体で粉塵を捕捉して回収するものであって、ポータブル型送風機の排気側に前記いずれかの粉塵回収体が設けられたものである。前記ポータブル型送風機は、外形が円筒状の胴体と、当該胴体に設けられた取っ手を備え、前記取っ手を持って持ち運び可能であり、鋼管内に持ち込み可能なサイズであり、外形が円筒状のポータブル型送風機であり、前記集塵回収体の装着部が前記送風機の円筒状の胴体の排出側に嵌合して止め具により取り付けられて、集塵回収体の筒状の本体の内部空間が前記送風機の円筒状の胴体の排気側と連通したものである。送風機と粉塵回収体の双方又はいずれか一方に、送風機と粉塵回収体を水平又は略水平に支持する脚を設けることもできる。送風機と粉塵回収体を台座上に配置し、それら送風機と粉塵回収体の双方又はいずれか一方を台座に設けられた保持体で保持できるようにしてもよい。
【発明の効果】
【００１２】
［粉塵回収体］
本発明の粉塵回収体は、その構成に応じて、例えば次のような効果を奏する。
（１）送風機の排気側に直接取り付けられるため、送風機に取り付けたときに大型化せず、狭隘な作業現場にも設置しやすい。
（２）入口側から出口側に向けて次第に広がる先広がりの筒状とした場合、排気側に粉塵回収体を取り付けても、送風機の本来の性能（換気能力）を損ないにくい。
（３）出口側を広くした場合、集塵体の取替えが容易である。
（４）集塵体をフィルタと変形防止材を備えたものとした場合、風力によるフィルタの変形やそれに伴う粉塵の漏れを防止することができる。
（５）フィルタを変形防止材で保護された状態のまま洗浄できるようにした場合、洗浄作業が楽である。また、構造上フィルタの揉み洗いができないため、揉み洗いによるフィルタの破損や変形等も防止することができる。
【００１３】
［集塵装置］
本発明の集塵装置は、その構成に応じて、例えば次のような効果を奏する。
（１）送風機に前記いずれかの粉塵回収体を設けてあるため、前記粉塵回収体と同様の効果を奏する。
（２）送風機と粉塵回収体の双方又はいずれか一方に脚を設けて、送風機や粉塵回収体を水平又は略水平に支持できるようにした場合、使用中に傾いたり倒れたりしにくいため、安定した集塵が可能である。
（３）台座に送風機や粉塵回収体を保持可能な保持体を備えた場合、送風機や粉塵回収体がより安定しやすい。
【図面の簡単な説明】
【００１４】
【図１】本発明の粉塵回収体及び集塵装置の一例を示す斜視図。
【図２】図１に示す粉塵回収体及び集塵装置の分解説明図。
【図３】図１に示す粉塵回収体及び集塵装置の説明図。
【図４】本発明の粉塵回収体及び集塵装置の他例を示す説明図。
【図５】本発明の粉塵回収体及び集塵装置の他例を示す斜視図。
【図６】本発明の集塵装置の使用例の説明図。
【発明を実施するための形態】
【００１５】
（実施形態１）
本発明の粉塵回収体３０及び集塵装置１０の一例を、図面を参照して説明する。一例として図１〜図３に示す集塵装置１０は、送風機２０と粉塵回収体３０を備えている。
【００１６】
送風機２０は、既存の送排気用のものであり、例えば、株式会社スイデンのポータブル型送排風機（品番：ＳＪＦ−３００ＲＳ）等を用いることができる。送風機２０はこれ以外のものであってもよいが、持ち運びできる程度にコンパクトなもの（ポータブルサイズのもの）を用いるのが好ましい。
【００１７】
前記粉塵回収体３０は、送風機２０の排気側に取り付けて使用するものであって、図２及び図３に示すように、入口１ａ及び出口１ｂを備えた中空の本体１と、当該本体１の内部に配置された集塵体２を備えている。この実施形態では、集塵体２の内側に内側支持材３が、外側に外側支持材４が設けられている。
【００１８】
前記本体１は、入口１ａ側から出口１ｂ側に向けて次第に内径が広がる先広がりの形状としてある。本体１をこのような形状とすることで、送風機２０の排気側に本発明の粉塵回収体３０を取り付けても、送風機２０のもつ本来の換気能力を維持することができる。
【００１９】
本体１の入口１ａ側には、送風機２０の排気側に被せる円筒状の装着部１ｃが設けられている。装着部１ｃには多数本の止め具（蝶ネジ）５がその周方向に間隔をあけて設けられ、装着部１ｃを送風機２０の排気側に被せた後にこれら止め具５を締め付けることによって、粉塵回収体３０を送風機２０に固定できるようにしてある。図示する装着部１ｃの構造は一例であり、送風機２０の排気側に取り付けられるものであれば、排気側に被せる構造以外の構造であってもよい。なお、止め具５は送風機１側に設けてもよい。
【００２０】
本体１の出口１ｂ側の端部には、集塵体２が傾いたり倒れたりするのを防止するための内側支持材３が設けられている。一例として図２に示す内側支持材３は本体１の出口１ｂの内径と略同じ面積の円形の金網であり、本体１の内周に溶接して固定してある。内側支持材３には、エキスパンドメタルやパンチングメタル等を用いることができる。図示する内側支持材３の形状は一例であり、集塵体２を内側から支持できる形状であれば、これ以外の形状であってもよい。例えば、本体１の内周面から内向きに突設するリングや、本体１の内周面から内向きに突設する一又は二以上の突片などであってもよい。内側支持材３をリングや突片とした場合、集塵体２の捕捉面のほとんどが露出する（空気が遮られない）ため、空気の流れがスムーズになり、粉塵の捕捉効率の向上が期待できる。なお、内側支持材３は必要に応じて設ければよく、集塵体２自体にこれに代わるものを設けて省略することもできる。
【００２１】
前記集塵体２は、本体１内に吸引された粉塵を捕集するものである。一例として図２に示す集塵体２は、円形のフィルタ２ａと、当該フィルタ２ａの両面に配置される変形防止材２ｂを備えている。
【００２２】
前記フィルタ２ａは粉塵を捕集する部材であり、既存の不織布などを用いることができる。フィルタ２ａには、洗浄して繰り返し使用可能なものを用いるのが好ましい。前記変形防止材２ｂは送風機２０による風力などによってフィルタ２ａが変形しないように保護するものである。この実施形態では、変形防止材２ｂとして内側支持材３と同様の金網を用いている。変形防止材２ｂには、エキスパンドメタルやパンチングメタル等を用いることもできる。フィルタ２ａを保護できる程度の強度を備えていれば、金属製に限らずプラスチック製やその他の材質製の網材（メッシュ材）を用いることもできる。フィルタ２ａとその両面側の変形防止材２ｂは縫い付けなどによって一体化してある。
【００２３】
前記外側支持材４は、集塵体２が送風機２０から送り込まれる風によって、集塵体２が外へ倒れたり吹き飛んだりしないようにするためのものである。一例として図２に示す外側支持材４は本体１の出口１ｂの内径と略同じ面積の円形の網材４ａと、当該網材４ａの外周縁から立設するリング状の周壁４ｂを備えている。この実施形態の外側支持材４は、周壁４ｂに取り付けた蝶番６によって本体１に取り付けられている。
【００２４】
周壁４ｂは、本体１の出口１ｂ側よりも若干大きめにしてあり、当該周壁４ｂを本体１の出口１ｂの外側に被せられるようにしてある。なお、内側支持材３と同様、外側支持材４にも、エキスパンドメタルやパンチングメタル等を用いることができる。また、図示する外側支持材４の形状は一例であり、集塵体２を内側から支持できる形状であれば、これ以外の形状であってもよい。例えば、内側支持材３と同様のリングや突片などであってもよい。なお、外側支持材４は必要に応じて設ければよく、集塵体２自体にこれに代わるものを設けて省略することもできる。
【００２５】
この実施形態では、送風機２０と粉塵回収体３０の双方に脚８が設けられ、両者が水平となるようにしてある。脚８は高さ調節可能なアジャスタ機能を備えたものとすることもできる。脚８は必要に応じて設ければよく、不要な場合には省略することもできる。なお、脚を備えた送風機２０を用いる場合には、当該脚を本件発明における脚８として使用することも、当該脚を取り外して別の脚８を設けることも、もともと装備された脚に他の部材を取り付けて脚８とすることもできる。
【００２６】
（実施形態２）
本発明の粉塵回収体３０及び集塵装置１０の他例を、図４を参照して説明する。この実施形態の粉塵回収体３０及び集塵装置１０の基本構造は実施形態１と同様である。異なるのは、集塵体２を直接本体１に着脱可能にして、内側支持材３と外側支持材４を省略したことである。ここでは共通する部分の説明を省略し、異なる部分について説明する。
【００２７】
この実施形態の集塵体２は、実施形態１と同様、円形のフィルタ２ａと、当該フィルタ２ａの両面に配置される変形防止材２ｂを備えており、それらが縫い付けなどによって一体化してある。図４に示すように、本体１及び集塵体２には連結部材９が設けられ、この連結部材９によって両者を連結できるようにしてある。連結部材９には、既存のものを用いることができる。なお、集塵体２は本体１の内側に設けることも、本体１の外側に設けることもできるが、いずれの場合も、本体１内に吸引された粉塵が本体１の出口１ｂ側から抜けないように、隙間なく取り付けるように留意する。
【００２８】
（実施形態３）
本発明の粉塵回収体３０及び集塵装置１０の他例を、図５を参照して説明する。この実施形態の粉塵回収体３０及び集塵装置１０の基本構造は実施形態１や実施形態２と同様である。異なるのは、送風機２０と粉塵回収体３０が台座７上に配置され、その台座７上の送風機２０が当該台座７に設けられた保持体７ｂによって保持されたことである。ここでは共通する部分の説明を省略し、異なる部分について説明する。
【００２９】
図５に示す台座７は、送風機２０及び集塵装置１０を載せる長方形状の載せ板７ａの上面側に、下向きＵ字状の保持体７ｂを備えている。この保持体７ｂは、送風機２０の円筒状の胴体部分の外周を保持できる程度の広さを備えている。台座７を設けることで、設置する場所が平坦でない場合でも設置しやすくなるというメリットがある。この実施形態では、台座７に送風機２０を保持するための保持体７ｂが設けられた場合を一例としているが、送風機２０を保持するための保持体７ｂに代えて或いはこれと共に、粉塵回収体３０を保持するための保持体７ｂを設けることもできる。なお、台座７は必要に応じて設ければよく、不要な場合は省略することができる。
【００３０】
（その他の実施形態）
前記実施形態では、本体１が出口１ｂ側に向けて先広がりの円筒状の場合を一例として説明しているが、本体１は出口１ｂ側に向けて先広がりの楕円筒状や角筒状であってもよい。場合によっては、本体１は入口１ａ側から出口１ｂ側まで太さが一様の（変わらない）円筒状や楕円筒状、角筒状などであってもよい。また、本体１は、装着部１ｃが細く、それ以外の部分が装着部１ｃよりも太いもの（装着部１ｃとそれ以外の部分の太さが異なるもの）とすることもできる。具体的には、装着部１ｃ用とそれ以外の部分用として、太さの異なる筒部材を用意し、後者の入口１ａ側に貫通孔を備えた平板を固定し、当該平板の貫通孔の周縁に前者の出口１ｂ側を固定するなどして本体１とすることができる。
【００３１】
前記実施形態では、本体１の入口１ａ側と出口１ｂ側の双方が同形状（相似形）の場合を一例としているが、入口１ａ側と出口１ｂ側を異なる形状とすることもできる。例えば、入口１ａ側が円形で出口１ｂ側が楕円形、入口１ａ側が円形で出口１ｂ側が矩形（例えば、四角形）などとすることもできる。この場合、出口１ｂ側に向けて次第に先広がりの両端開口の楕円筒や角筒の入口側に貫通孔を備えた平板を固定し、その貫通孔の周縁に円筒状の装着部１ｃを固定するなどして本体１とすることができる。
【００３２】
前記実施形態では、集塵体２を本体１の内側に一つ設ける場合を一例としているが、集塵体２は二以上設けることもできる。この場合、同じ構造の集塵体２を二以上設けることも、異なる構造の集塵体２を二以上設けることもできる。異なるものを配置する場合、一方の集塵体２のフィルタ２ａを、他方の集塵体２のフィルタ２ａよりも目の粗いものを用いることができる。集塵体２を二以上設ける場合、集塵体２は間隔をあけて又は間隔をあけずに設けることができる。
【００３３】
前記実施形態では、集塵体２を本体１の出口１ｂ側に設けた場合を一例としているが、集塵体２は本体１の中央部や中央部よりも入口１ａ側等、出口１ｂ側以外の場所に設けることもできる。場合によっては、集塵体２の出口１ｂの外側に設けて、本体１に連結するようにしてもよい。
【００３４】
前記実施形態では、変形防止材２ｂとして二枚の金網等を用いる場合を一例としているが、変形防止材２ｂは、一枚の金網等を折り曲げてフィルタ２ａの両面を保持できるようにしたものであってもよい。
【００３５】
（使用例：粉塵の捕集）
本発明の集塵装置１０の使用例を、図６を参照して説明する。ここでは、鋼管Ｙ内で溶接作業をする際に生じる、溶接ヒュームＸを捕集する場合を一例として説明する。
（１）鋼管Ｙ内に、本発明の集塵装置１０を配置する。
（２）集塵装置１０の送風機２０の電源を入れ、溶接作業を行う。
（３）溶接作業によって発生した溶接ヒュームＸは、送風機２０の吸引力によって送風機２０内へ引き込まれ送風機２０を通過し、空気とともに粉塵回収体３０に送られる。
（４）粉塵回収体３０に到達した溶接ヒュームＸは出口側へ送られ、出口１ｂ側に配置された集塵体２で捕集される。このとき、空気は集塵体２を通過して粉塵回収体３０の外に排出される。
【００３６】
（使用例：フィルタの洗浄）
溶接ヒュームＸを捕集した集塵体２は、本体１から取り外して、変形防止材２ｂで挟まれたフィルタ２ａをそのまま（変形防止材２ｂに挟まれたまま）洗浄液につけることで、変形することなく洗浄することができる。洗浄後には集塵体２を本体１にセットし、粉塵のないところで送風機２０をＯＮにすることで集塵体２を乾燥させることができる。
【産業上の利用可能性】
【００３７】
本発明の粉塵回収体３０及び集塵装置１０は、各種作業現場で発生する粉塵の捕集に用いることができるが、特に、鋼管Ｙ内のような狭隘な作業現場での粉塵の捕集に好適に用いることができる。
【符号の説明】
【００３８】
１      本体
１ａ    入口
１ｂ    出口
１ｃ    装着部
２      集塵体
２ａ    フィルタ
２ｂ    変形防止材
３      内側支持材
４      外側支持材
４ａ    網材
４ｂ    周壁
５      止め具（蝶ネジ）
６      蝶番
７      台座
７ａ    載せ板
７ｂ    保持体
８      脚
９      連結部材
１０    集塵装置
２０    送風機
３０    粉塵回収体
Ｘ      溶接ヒューム
Ｙ      鋼管
【手続補正２】
【補正対象書類名】特許請求の範囲
【補正対象項目名】全文
【補正方法】変更
【補正の内容】
【特許請求の範囲】
【請求項１】
ポータブル型送風機の排気側に取り付けて使用する粉塵回収体であって、
前記ポータブル型送風機は、外形が円筒状の胴体と、当該胴体に設けられた取っ手を備え、前記取っ手を持って持ち運び可能であり、鋼管内に持ち込み可能なサイズであり、
前記粉塵回収体は、入口及び出口を備えた中空の本体と、前記送風機の送風により当該本体内を通過する粉塵を捕集する集塵体を備え、
前記本体は、その入口側が筒状であり、入口側から出口側に向けて内径が次第に広がる先広がりの筒状で出口側の口径が入口側の口径よりも大きく、
前記入口側に、前記ポータブル型送風機の胴体の外側に被せる円筒状の装着部が設けられ、
前記装着部は前記本体の内部空間が前記送風機の円筒状の胴体の排気側と連通するように胴体の排出側の外側に嵌合可能であり、嵌合した排出側に止め具により取り付けることができ、
前記ポータブル型送風機の胴体の排出側に装着された粉塵回収体は、当該ポータブル型送風機の胴体の排出側の端部よりも外側に突出し、当該ポータブル型送風機の胴体内を通過した粉塵を当該ポータブル型送風機の胴体外に位置する集塵体で捕捉可能であり、
前記集塵体は、前記送風機で吸引された粉塵を捕集できるフィルタが、その排気流入側と排気流出側から多数の通孔を備えた変形防止材で挟まれて当該変形防止材に取り付けられたものであり、
前記集塵体が本体の出口側に脱着可能である、
ことを特徴とする粉塵回収体。
【請求項２】
請求項１記載の粉塵回収体において、
集塵体の内側を支持する内側支持材と集塵体の外側を支持する外側支持材の双方又はいずれか一方を備え、
前記内側支持材と外側支持材は共に通孔を備えた、
ことを特徴とする粉塵回収体。
【請求項３】
請求項１又は請求項２記載の粉塵回収体において、
本体が入口側から出口側まで連続して次第に先広がりの筒状である、
ことを特徴とする粉塵回収体。
【請求項４】
請求項２又は請求項３記載の粉塵回収体において、
外側支持材が本体の出口側に開閉可能に取り付けられている、
ことを特徴とする粉塵回収体。
【請求項５】
請求項１から請求項４のいずれか１項に記載の粉塵回収体において、
フィルタは変形防止材で保護された状態で洗浄可能である、
ことを特徴とする粉塵回収体。
【請求項６】
集塵体で粉塵を捕捉して回収する集塵装置において、
ポータブル型送風機の排気側に請求項１から請求項５のいずれか１項に記載の粉塵回収体が設けられ、
前記ポータブル型送風機は、外形が円筒状の胴体と、当該胴体に設けられた取っ手を備え、前記取っ手を持って持ち運び可能であり、鋼管内に持ち込み可能なサイズであり、
前記集塵回収体の装着部が前記送風機の円筒状の胴体の排出側に嵌合して止め具により取り付けられて、集塵回収体の筒状の本体の内部空間が前記送風機の円筒状の胴体の排気側と連通している、
ことを特徴とする集塵装置。
【請求項７】
請求項６記載の集塵装置において、
送風機と粉塵回収体の双方又はいずれか一方に、送風機と粉塵回収体を水平又は略水平に支持する脚が設けられた、
ことを特徴とする集塵装置。
【請求項８】
請求項６又は請求項７記載の集塵装置において、
送風機と粉塵回収体が台座上に配置され、
前記台座は、前記送風機と粉塵回収体の双方又はいずれか一方を保持可能な保持体を備えた、
ことを特徴とする集塵装置。
【手続補正書】
【提出日】平成29年4月7日(2017.4.7)
【手続補正１】
【補正対象書類名】特許請求の範囲
【補正対象項目名】全文
【補正方法】変更
【補正の内容】
【特許請求の範囲】
【請求項１】
ポータブル型送風機の排気側に取り付けて使用する粉塵回収体であって、
前記ポータブル型送風機は、外形が円筒状の胴体と、当該胴体に設けられた取っ手を備え、前記取っ手を持って持ち運び可能であり、鋼管内に持ち込み可能なサイズであり、
前記粉塵回収体は、入口及び出口を備えた中空の本体と、前記送風機の送風により当該本体内を通過する粉塵を捕集する集塵体を備え、
前記本体は、その入口側が筒状であり、入口側から出口側に向けて内径が次第に広がる先広がりの筒状で出口側の口径が入口側の口径よりも大きく、
前記入口側に、前記ポータブル型送風機の胴体の外側に被せる円筒状の装着部が設けられ、
前記装着部は前記本体の内部空間が前記送風機の円筒状の胴体の排気側と連通するように胴体の排出側の外側に嵌合可能であり、嵌合した排出側に止め具により取り付けることができ、
前記ポータブル型送風機の胴体の排出側に装着された粉塵回収体は、当該ポータブル型送風機の胴体の排出側の端部よりも外側に突出し、当該ポータブル型送風機の胴体内を通過した粉塵を当該ポータブル型送風機の胴体外に位置する集塵体で捕捉可能であり、
前記集塵体は、前記送風機で吸引された粉塵を捕集できるフィルタが、その排気流入側と排気流出側から多数の通孔を備えた変形防止材で挟まれて当該変形防止材に取り付けられたものであり、
前記集塵体が本体の出口側に脱着可能である、
ことを特徴とする粉塵回収体。
【請求項２】
請求項１記載の粉塵回収体において、
集塵体の内側を支持する内側支持材と集塵体の外側を支持する外側支持材の双方又はいずれか一方を備え、
前記内側支持材と外側支持材は共に通孔を備えた、
ことを特徴とする粉塵回収体。
【請求項３】
請求項２記載の粉塵回収体において、
前記外側支持材が本体の出口側に開閉可能に取り付けられている、
ことを特徴とする粉塵回収体。
【請求項４】
請求項１から請求項３のいずれか１項に記載の粉塵回収体において、
本体が入口側から出口側まで連続して次第に先広がりの筒状である、
ことを特徴とする粉塵回収体。
【請求項５】
請求項１から請求項４のいずれか１項に記載の粉塵回収体において、
フィルタは変形防止材で保護された状態で洗浄可能である、
ことを特徴とする粉塵回収体。
【請求項６】
集塵体で粉塵を捕捉して回収する集塵装置において、
ポータブル型送風機の排気側に請求項１から請求項５のいずれか１項に記載の粉塵回収体が設けられ、
前記ポータブル型送風機は、外形が円筒状の胴体と、当該胴体に設けられた取っ手を備え、前記取っ手を持って持ち運び可能であり、鋼管内に持ち込み可能なサイズであり、
前記集塵回収体の装着部が前記送風機の円筒状の胴体の排出側に嵌合して止め具により取り付けられて、集塵回収体の筒状の本体の内部空間が前記送風機の円筒状の胴体の排気側と連通している、
ことを特徴とする集塵装置。
【請求項７】
請求項６記載の集塵装置において、
送風機と粉塵回収体の双方又はいずれか一方に、送風機と粉塵回収体を水平又は略水平に支持する脚が設けられた、
ことを特徴とする集塵装置。
【請求項８】
請求項６又は請求項７記載の集塵装置において、
送風機と粉塵回収体が台座上に配置され、
前記台座は、前記送風機と粉塵回収体の双方又はいずれか一方を保持可能な保持体を備えた、
ことを特徴とする集塵装置。